(57)【要約】【課題】電線引き出し口の固定片に対し、外径が異なる複数種の電線束を固定可能にした電気接続箱を提供する。【解決手段】電線束が挿通される電線ガイド部１６を構成する固定片２０は、電線束が入り込む収容凹部２１を備え、収容凹部２１内に収容された電線束の周方向の一部を覆うように構成される。電線束は、収容凹部２１に入り込んだ状態で粘着テープにて固定片２０に固定される。そして、固定片２０は、収容凹部２１の深さが互いに異なる第１固定部２２と第２固定部２３とを、電線ガイド部１６の開口方向（電線束の長さ方向）に並ぶ態様で有している。【選択図】図２
2020202659.tif 000002
【特許請求の範囲】
【請求項１】
電気部品が収容されたハウジング本体と、前記ハウジング本体に形成された電線引き出し口と、前記電線引き出し口から前記ハウジング本体の外部側に延びる固定片とを有するハウジングと、
前記電気部品に接続されるとともに、前記電線引き出し口から前記ハウジング本体の外部に引き出される電線束と、
前記電線束を前記固定片に対して巻き付け固定する巻付部材と、を備え、
前記固定片は、前記電線束が入り込む収容凹部を備え、前記収容凹部内に収容された前記電線束の周方向の一部を覆うように構成され、
前記電線束は、前記収容凹部に入り込んだ状態で前記巻付部材にて前記固定片に固定される電気接続箱であって、
前記固定片は、前記収容凹部の深さが互いに異なる第１固定部と第２固定部とを、前記電線束の長さ方向に並ぶ態様で有している、電気接続箱。
【請求項２】
前記電線束の周方向における前記固定片の両端部が、前記電線束の長さ方向において部分的に切り欠かれることで、前記第１固定部よりも前記収容凹部の深さが浅い前記第２固定部が構成された、請求項１に記載の電気接続箱。
【請求項３】
前記固定片の前記収容凹部を覆うカバー部を備え、
前記カバー部は、前記電線束の周方向において前記固定片で覆われていない箇所を覆っている、請求項２に記載の電気接続箱。
【請求項４】
前記カバー部は、前記電線束の周方向における前記固定片の両端部とで、前記第１固定部に巻き付けられた前記巻付部材を挟んでいる、請求項３に記載の電気接続箱。
【請求項５】
前記カバー部は、前記第２固定部を形成するために前記固定片に切り欠き形成された切り欠き部を覆う被覆部を有している、請求項３又は請求項４に記載の電気接続箱。
【発明の詳細な説明】
【技術分野】
【０００１】
本開示は、電気接続箱に関するものである。
【背景技術】
【０００２】
従来から、車両において、電気配線の効率化やメンテナンス性の向上を目的としてリレーボックス、ヒューズボックス等の電気接続箱が用いられている（例えば、特許文献１参照）。電気接続箱のハウジングには、リレーやヒューズなどからなる電気部品が適宜装着されており、バッテリーなどからの電力を車載電装品へ供給するようになっている。また、ハウジング内の電気部品には、複数の電線が接続されており、その複数の電線は束ねられてハウジングの電線引き出し口からハウジングの外部に引き出される。そして、その電線束は、ハウジングの電線引き出し口から延出された固定片に対して粘着テープなどの巻付部材により巻き付け固定されるようになっている。また、固定片は、例えば断面円弧状など電線束の一部を収容する形状をなし、電線引き出し口から引き出された電線束を固定片に収容可能に構成されている。
【先行技術文献】
【特許文献】
【０００３】
【特許文献１】特開２０１６−１７４５０４号公報
【発明の概要】
【発明が解決しようとする課題】
【０００４】
上記のような電気接続箱では、電気部品並びに電気部品に接続される複数の電線の本数は、車種やグレードによって仕様が異なる。すなわち、ハウジングの電線引き出し口から引き出される電線束の外径が車種やグレードによって異なる。このため、電線束の外径が電線引き出し口の固定片の電線収容部の深さよりも小さい場合には、電線束を固定片に対し巻付部材によって安定して固定することができない問題があった。
【０００５】
そこで、電線引き出し口の固定片に対し、外径が異なる複数種の電線束を固定可能にした電気接続箱を提供することを目的とする。
【課題を解決するための手段】
【０００６】
本開示の電気接続箱は、電気部品が収容されたハウジング本体と、前記ハウジング本体に形成された電線引き出し口と、前記電線引き出し口から前記ハウジング本体の外部側に延びる固定片とを有するハウジングと、前記電気部品に接続されるとともに、前記電線引き出し口から前記ハウジング本体の外部に引き出される電線束と、前記電線束を前記固定片に対して巻き付け固定する巻付部材と、を備え、前記固定片は、前記電線束が入り込む収容凹部を備え、前記収容凹部内に収容された前記電線束の周方向の一部を覆うように構成され、前記電線束は、前記収容凹部に入り込んだ状態で前記巻付部材にて前記固定片に固定される電気接続箱であって、前記固定片は、前記収容凹部の深さが互いに異なる第１固定部と第２固定部とを、前記電線束の長さ方向に並ぶ態様で有している。
【発明の効果】
【０００７】
本開示によれば、電線引き出し口の固定片に対し、外径が異なる複数種の電線束を固定可能にした電気接続箱を提供することが可能となる。
【図面の簡単な説明】
【０００８】
【図１】図１は、実施形態にかかる電気接続箱の概略構成図である。
【図２】図２は、同形態の電気接続箱における電線ガイド部周辺の構成を示す斜視図である。
【図３】図３は、同形態の電気接続箱における電線ガイド部周辺の構成を示す側面図である。
【図４】図４は、同形態の電気接続箱における電線ガイド部周辺の構成を示す正面図である。
【図５】図５は、電線束の外径が大きい場合の電線束の態様を示す断面図である。
【図６】図６は、電線束の外径が小さい場合の電線束の態様を示す断面図である。
【図７】図７は、変更例におけるカバー片の構成を説明するための断面図である。
【発明を実施するための形態】
【０００９】
［本開示の実施形態の説明］
最初に本開示の実施態様を列記して説明する。
本開示の電気接続箱は、
［１］電気部品が収容されたハウジング本体と、前記ハウジング本体に形成された電線引き出し口と、前記電線引き出し口から前記ハウジング本体の外部側に延びる固定片とを有するハウジングと、前記電気部品に接続されるとともに、前記電線引き出し口から前記ハウジング本体の外部に引き出される電線束と、前記電線束を前記固定片に対して巻き付け固定する巻付部材と、を備え、前記固定片は、前記電線束が入り込む収容凹部を備え、前記収容凹部内に収容された前記電線束の周方向の一部を覆うように構成され、前記電線束は、前記収容凹部に入り込んだ状態で前記巻付部材にて前記固定片に固定される電気接続箱であって、前記固定片は、前記収容凹部の深さが互いに異なる第１固定部と第２固定部とを、前記電線束の長さ方向に並ぶ態様で有している。
【００１０】
上記態様によれば、電線束の外径が大きい場合には電線束を第１固定部に巻き付け固定し、電線束の外径が小さい場合には電線束を第２固定部に巻き付け固定することが可能となる。すなわち、電線引き出し口の固定片に対し、外径が異なる複数種の電線束を固定可能となる。
【００１１】
［２］前記電線束の周方向における前記固定片の両端部が、前記電線束の長さ方向において部分的に切り欠かれることで、前記第１固定部よりも前記収容凹部の深さが浅い前記第２固定部が構成されていることが好ましい。
【００１２】
上記態様によれば、固定片の一部を切り欠いた簡単な構成で第１固定部と第２固定部を構成できる。
［３］前記固定片の前記収容凹部を覆うカバー部を備え、前記カバー部は、前記電線束の周方向において前記固定片で覆われていない箇所を覆っていることが好ましい。
【００１３】
上記態様によれば、固定片の収容凹部がカバー部によって覆われることで、電線引き出し口への水の浸入を抑制できる。
［４］前記カバー部は、前記電線束の周方向における前記固定片の両端部とで、前記第１固定部に巻き付けられた前記巻付部材を挟んでいることが好ましい。
【００１４】
上記態様によれば、巻付部材を挟んだ部位において、固定片とカバー部との間からの水の浸入を抑制することが可能となる。
［５］前記カバー部は、前記第２固定部を形成するために前記固定片に切り欠き形成された切り欠き部を覆う被覆部を有していることが好ましい。
【００１５】
上記態様によれば、固定片の切り欠き部が被覆部によって覆われるため、切り欠き部を介して電線引き出し口側に水が浸入することが抑制されている。
［本開示の実施形態の詳細］
本開示の電気接続箱の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１６】
図１に示すように、電気接続箱１０は、箱状のハウジング１１と、ハウジング１１に収容された電気部品１２とを有する。本実施形態の電気接続箱１０は、車両に搭載される複数の電装品とバッテリーなどの電源との間に介装されて各電装品に給配電するヒューズボックスやリレーボックスなどとして構成される。なお、本実施形態の電気部品１２は、例えばヒューズモジュールやリレーモジュールを単数、または複数備えて構成されている。
【００１７】
ハウジング１１は、ハウジング本体１３と、ハウジング本体１３に組み付けられたカバー１４とを備える。ハウジング本体１３及びカバー１４は、例えば合成樹脂材からなる射出成形品である。ハウジング本体１３には、電気部品１２が組み付けられている。
【００１８】
ハウジング１１の側面には、電気部品１２に接続された複数の電線の束（電線束Ｗ）を外部に引き出すための電線引き出し口１５と、電線引き出し口１５から外部側に延出された略円筒形状の電線ガイド部１６が形成されている。電線束Ｗは、電線ガイド部１６を通じてハウジング１１の外部に引き出される。なお、電気部品１２並びに電気部品１２に接続される複数の電線の本数は、車種やグレードによって仕様が異なる。このため、複数の電線からなる電線束Ｗの外径は、車種やグレードによって異なる。また、電線束Ｗが電線ガイド部１６から導出される部位には、電線ガイド部１６から電線束Ｗまで跨がって覆う粘着テープなどの外装部材Ｘが設けられている。
【００１９】
電線ガイド部１６は、ハウジング本体１３から延出する固定片２０と、カバー１４から延出するカバー片３０とから形成されている。固定片２０及びカバー片３０の各々は、電線ガイド部１６を通る電線束Ｗの長さ方向から見て円弧形状をなしている（図２及び図４参照）。そして、固定片２０及びカバー片３０が組み合わされることで、電線ガイド部１６の略円筒形状が形成される。
【００２０】
（固定片２０の構成）
固定片２０は、ハウジング本体１３の電線引き出し口１５と対応する位置からハウジング本体１３の外部側に延出されている。電線引き出し口１５から引き出された電線束Ｗは、巻付部材としての粘着テープＴの巻き付けによって固定片２０に固定される（図５などを参照）。なお、粘着テープＴは、ポリ塩化ビニルなどを基材とし、弾性を有するテープである。また、図２、図３及び図４では、電線束Ｗ及び粘着テープＴの図示を省略している。
【００２１】
図２、図３及び図４に示すように、固定片２０は、前述のように円弧形状をなし、該円弧形状の窪みは、電線束Ｗが入り込む収容凹部２１となっている。また、固定片２０は、電線ガイド部１６を通る電線束Ｗの周方向の一部を覆うように構成される。そして、電線束Ｗは、固定片２０の収容凹部２１に入り込んだ状態で粘着テープＴの巻き付けによって固定片２０に固定される。
【００２２】
ここで、固定片２０は、固定片２０は、電線ガイド部１６の周方向Ｄ（電線ガイド部１６を通る電線束Ｗの周方向）における長さが互いに異なる第１固定部２２と第２固定部２３とを有している。第１固定部２２と第２固定部２３とは、固定片２０の長さ方向（電線束Ｗの長さ方向）において並んでいる。具体的には、固定片２０の基端部側に第１固定部２２が形成され、固定片２０の先端部側に第２固定部２３が形成されている。なお、図５には、電線ガイド部１６の軸線Ｌと直交し第１固定部２２を通る断面を示し、図６には、軸線Ｌと直交し第２固定部２３を通る断面を示している。
【００２３】
また、第１固定部２２と第２固定部２３とは、電線ガイド部１６の開口方向（軸線Ｌ方向）から見て、互いに同心円弧状をなしている。すなわち、第１固定部２２及び第２固定部２３の各々は、電線束Ｗが入り込む前記収容凹部２１を有している。なお、以下では、第１固定部２２の収容凹部２１を第１収容凹部２１ａとし、第２固定部２３の収容凹部２１を第２収容凹部２１ｂとして区別して説明する。
【００２４】
周方向Ｄにおける固定片２０の両端部２０ａには、固定片２０の先端側の部位（固定片２０の軸線Ｌ方向の一部）を切り欠いた切り欠き部２４が形成されている。これら各切り欠き部２４が形成されることで、第２固定部２３が形成されている。すなわち、切り欠き部２４を有する第２固定部２３の周方向Ｄの長さは、切り欠き部２４を有しない第１固定部２２の周方向Ｄの長さよりも短く構成される。その結果、第２固定部２３の第２収容凹部２１ｂの深さが、第１固定部２２の第１収容凹部２１ａの深さよりも浅く構成される。
【００２５】
（カバー片３０の構成）
図２、図３及び図４に示すように、カバー片３０は、カバー１４の電線引き出し口１５と対応する位置からハウジング１１の外部側に延出されている。カバー片３０は、固定片２０の収容凹部２１を覆うように構成されている。軸線Ｌと直交する断面形状が円弧状をなすカバー片３０は、同じく軸線Ｌと直交する断面形状が円弧状をなす固定片２０とで、略円筒形状の電線ガイド部１６を形成している。すなわち、カバー片３０は、電線ガイド部１６を通る電線束Ｗの周方向（つまり、電線ガイド部１６の周方向Ｄ）において固定片２０で覆われていない箇所を覆っている。
【００２６】
カバー片３０は、軸線Ｌと直交する方向において第１固定部２２と対向する第１被覆部３１を有している。また、カバー片３０は、軸線Ｌと直交する方向において第２固定部２３と対向する第２被覆部３２を有している。第１被覆部３１と第２被覆部３２とは、電線ガイド部１６の開口方向（軸線Ｌ方向）において並設されている。具体的には、カバー片３０の基端部側に第１被覆部３１が形成され、カバー片３０の先端部側に第２被覆部３２が形成されている。第１被覆部３１は、軸線Ｌと直交する断面が円弧形状をなしている（図５参照）。
【００２７】
第２被覆部３２は、軸線Ｌと直交する方向において第２固定部２３と対向する対向部３３を有している。また、第２被覆部３２は、対向部３３の周方向Ｄの両端部からそれぞれ延出された延出片３４を有している。各延出片３４は、固定片２０の各切り欠き部２４を塞ぐように構成されている。
【００２８】
本実施形態の作用について説明する。
ハウジング１１内から電線ガイド部１６を通じて外部に引き出される電線束Ｗの外径は、車種やグレードによって異なる。ここで、図５には、電線束Ｗの外径が第１固定部２２の第１収容凹部２１ａの深さよりも大きい場合の電線束Ｗの固定態様を示している。
【００２９】
図５に示すように、電線束Ｗの外径が第１固定部２２の第１収容凹部２１ａの深さよりも大きい場合には、電線束Ｗを第１収容凹部２１ａに配置したときに、電線束Ｗの一部が第１収容凹部２１ａから突出する。このため、電線束Ｗを第１収容凹部２１ａに配置した状態で、電線束Ｗを第１固定部２２に粘着テープＴによって巻き付け固定することができる。なお、粘着テープＴは、第２固定部２３側にも巻き付けられる。すなわち、電線束Ｗは、第２固定部２３にも粘着テープＴによって巻き付け固定される。
【００３０】
また、電線束Ｗにおける第１収容凹部２１ａから露出する部分は、カバー片３０の第１被覆部３１にて被覆される。そして、第１被覆部３１の周方向Ｄの両端部３０ａと、第１固定部２２の周方向Ｄの両端部２０ａとで、粘着テープＴが挟まれて圧縮状態とされている。これにより、圧縮された粘着テープＴが第１固定部２２と第１被覆部３１との間のシールとなり、第１固定部２２と第１被覆部３１との間からの水の浸入が抑制されている。
【００３１】
一方、図６には、電線束Ｗの外径が第１固定部２２の第１収容凹部２１ａの深さよりも小さい場合の電線束Ｗの固定態様を示している。電線束Ｗの外径が第１固定部２２の第１収容凹部２１ａの深さよりも小さい場合には、第１固定部２２では電線束Ｗを粘着テープＴにて巻き付け固定できない。このため、図６に示すように、電線束Ｗを第２固定部２３の第２収容凹部２１ｂに配置した状態で、電線束Ｗを第２固定部２３に粘着テープＴによって巻き付け固定する。なお、この場合、第１固定部２２にも粘着テープＴを巻き、第１固定部２２の両端部２０ａと第１被覆部３１の両端部３０ａとで粘着テープＴを挟む構成としてもよい。
【００３２】
また、第２固定部２３を構成するために固定片２０に切り欠き形成された各切り欠き部２４は、カバー片３０の各延出片３４によって覆われている。これにより、電線ガイド部１６の外周側から切り欠き部２４を介して電線ガイド部１６内に水が浸入することが抑制されている。
【００３３】
なお、カバー片３０を含むカバー１４は、ハウジング本体１３内の電気部品１２から延びる電線束Ｗを、粘着テープＴで固定片２０に固定した後に、ハウジング本体１３に対して組み付けられるようになっている。
【００３４】
本実施形態の効果について説明する。
（１）電線束Ｗが挿通される筒状の電線ガイド部１６を構成する固定片２０は、収容凹部２１の深さが互いに異なる第１固定部２２と第２固定部２３とを、電線ガイド部１６の開口方向（電線束Ｗの長さ方向）に並ぶ態様で有している。この態様によれば、電線束Ｗの外径が大きい場合には電線束Ｗを第１固定部２２に巻き付け固定し、電線束Ｗの外径が小さい場合には電線束Ｗを第２固定部２３に巻き付け固定することが可能となる。すなわち、電線引き出し口１５の固定片２０に対し、外径が異なる複数種の電線束Ｗを固定可能となる。
【００３５】
（２）電線ガイド部１６の周方向Ｄ（電線束Ｗの周方向）における固定片２０の両端部２０ａが、電線束Ｗの長さ方向（軸線Ｌ方向）において部分的に切り欠かれることで、第１固定部２２よりも収容凹部２１の深さが浅い第２固定部２３が構成されている。この態様によれば、固定片２０の一部を切り欠いた簡単な構成で第１固定部２２と第２固定部２３を構成できる。
【００３６】
（３）固定片２０の収容凹部２１を覆うカバー片３０を備え、カバー片３０は、電線ガイド部１６の周方向Ｄ（電線束Ｗの周方向）において固定片２０で覆われていない箇所を覆っている。この態様によれば、固定片２０の収容凹部２１がカバー片３０によって覆われることで、電線引き出し口１５への水の浸入を抑制できる。
【００３７】
（４）カバー片３０は、電線ガイド部１６の周方向Ｄ（電線束Ｗの周方向）における固定片２０の両端部２０ａとで、第１固定部２２に巻き付けられた粘着テープＴを挟んでいる。この態様によれば、粘着テープＴを挟んだ部位において、固定片２０とカバー片３０との間からの水の浸入を抑制することが可能となる。
【００３８】
（５）カバー片３０は、第２固定部２３を形成するために固定片２０に切り欠き形成された切り欠き部２４を覆う延出片３４を有している。この態様によれば、固定片２０の切り欠き部２４が延出片３４によって覆われるため、切り欠き部２４を介して電線引き出し口１５側に水が浸入することが抑制されている。
【００３９】
本実施形態は、以下のように変更して実施することができる。本実施形態及び以下の変更例は、技術的に矛盾しない範囲で互いに組み合わせて実施することができる。
・図７に示すように、カバー片３０の各延出片３４を上記実施形態よりも更に延出する構成としてもよい。図７に示す構成では、電線ガイド部１６の軸線Ｌと直交する方向（例えば、図７中のＹ方向）から見て、延出片３４が固定片２０の第２固定部２３の周方向端部とラップする位置まで延出されている。これにより、第２固定部２３の周方向端部と延出片３４との間の隙間から電線ガイド部１６内への水の浸入をより一層抑制できる。
【００４０】
・上記実施形態において、電線ガイド部１６の周方向Ｄ（電線束Ｗの周方向）における第２固定部２３の両端部と各延出片３４の周方向Ｄの端部とで、第２固定部２３に巻き付けられた粘着テープＴを挟む構成としてもよい。この態様によれば、第２固定部２３と延出片３４とに挟まれて圧縮された粘着テープＴが第２固定部２３と延出片３４との間のシールとなり、第２固定部２３と延出片３４との間からハウジング１１の内部側（電線引き出し口１５側）に水が浸入することを抑制できる。
【００４１】
・上記実施形態では、電線束Ｗを固定片２０に対して巻き付け固定する巻付部材として粘着テープＴを用いたが、これ以外に例えば、合成樹脂製の結束バンドを巻付部材として用いてもよい。
【００４２】
・上記実施形態では、固定片２０及びカバー片３０を断面円弧状とし、それら固定片２０及びカバー片３０が組み合わされてなる電線ガイド部１６が円筒状をなすが、これ以外に例えば、電線ガイド部１６を四角筒状に形成してもよい。
【００４３】
上記実施形態及び変更例から把握できる技術的思想について記載する。
前記電線束の周方向における前記第２固定部の両端部と前記被覆部とで、前記第２固定部に巻き付けられた前記巻付部材を挟んでいる、電気接続箱。
【００４４】
上記態様によれば、固定片の第２固定部とカバーの被覆部との間から電線引き出し口側に水が浸入することを抑制できる。
【符号の説明】
【００４５】
Ｄ  電線ガイド部の周方向
Ｌ  電線ガイド部の軸線
Ｔ  粘着テープ（巻付部材）
Ｗ  電線束
Ｘ  外装部材
１０  電気接続箱
１１  ハウジング
１２  電気部品
１３  ハウジング本体
１４  カバー
１５  電線引き出し口
１６  電線ガイド部
２０  固定片
２０ａ  端部
２１  収容凹部
２１ａ  第１収容凹部
２１ｂ  第２収容凹部
２２  第１固定部
２３  第２固定部
２４  切り欠き部
３０  カバー片（カバー部）
３０ａ  端部
３１  第１被覆部
３２  第２被覆部
３３  対向部
３４  延出片（被覆部）
【図１】
2020202659.tif 000003
【図２】
2020202659.tif 000004
【図３】
2020202659.tif 000005
【図４】
2020202659.tif 000006
【図５】
2020202659.tif 000007
【図６】
2020202659.tif 000008
【図７】
2020202659.tif 000009